(57)【要約】【課題】帳票を積載した帳票積載部から装置内に取り込んだ帳票を１枚ずつ確実に搬送することができる給紙装置を提供する。【解決手段】この給紙装置は、帳票を積載する帳票積載部と、前記帳票の上面に接し、前記帳票を搬送路に搬送する第１のローラと、前記第１のローラに対向して配置されるとともに前記搬送路に搬送される帳票の下面に接し、複数枚の前記帳票が前記搬送路に搬送されるのを防止する第２のローラと、を具備し、前記第１のローラまたは前記第２のローラの少なくとも一方のローラの外周面に少なくとも１つの溝を有する。【選択図】図４
2011057431.tif 000002
【特許請求の範囲】
【請求項１】
帳票を積載する帳票積載部と、
前記帳票の上面に接し、前記帳票を搬送路に搬送する第１のローラと、
前記第１のローラに対向して配置されるとともに前記搬送路に搬送される帳票の下面に接し、複数枚の前記帳票が前記搬送路に搬送されるのを防止する第２のローラと、を具備し、
前記第１のローラまたは前記第２のローラの少なくとも一方のローラの外周面に少なくとも１つの溝を有する
ことを特徴とする給紙装置。
【請求項２】
前記対向して配置される前記第１、第２のローラの幅が互いに異なる
ことを特徴とする請求項１記載の給紙装置。
【請求項３】
前記溝は、前記第１のローラまたは前記第２のローラの少なくとも一方のローラの外周面の周方向に沿って形成され、重送された前記帳票間に空気層を発生させる
ことを特徴とする請求項１または２記載の給紙装置。
【請求項４】
前記溝が、前記第１、第２のローラの他のローラの外周面と対向する位置に配置される
ことを特徴とする請求項３記載の給紙装置。
【発明の詳細な説明】
【技術分野】
【０００１】
本発明は、例えばホッパテーブル等の積載部に積載された帳票を、光学的帳票読取装置などの帳票処理装置の内部へ１枚ずつ取り込む給紙装置に関する。
【背景技術】
【０００２】
近年、光学的帳票読取装置の給紙装置では、ホッパテーブルに複数枚積載された帳票を１枚ずつに分離することが望まれている。そこで、従来の光学的帳票読取装置では、帳票をホッパテーブルから搬送路に送り出すフィードローラと、このフィードローラに対向するリバースローラとの摩擦を利用し、重送される２枚目以降の帳票をリバースローラによって阻止し、帳票を１枚ずつ分離して搬送路へ送り出すようにしている（例えば特許文献１参照）。
【先行技術文献】
【特許文献】
【０００３】
【特許文献１】特公平２−１０４９号公報
【発明の概要】
【発明が解決しようとする課題】
【０００４】
しかしながら、上記した先行技術の場合、帳票同士の摩擦係数が高いと、フィードローラとリバースローラとの摩擦を利用した機構だけでは帳票を１枚ずつ確実に分離することができない場合がある。この場合、複数枚の帳票が重なったままで後段の処理部へ送られることがあり、重送が原因で読み取り処理されない帳票やジャムなどの不具合が発生するという問題があった。
【０００５】
本発明はこのような課題を解決するためになされたもので、帳票を積載した帳票積載部から装置内に取り込んだ帳票を１枚ずつ確実に搬送することができる給紙装置を提供することを目的とする。
【課題を解決するための手段】
【０００６】
上記の課題を解決するために本発明の給紙装置は、帳票を積載する帳票積載部と、前記帳票の上面に接し、前記帳票を搬送路に搬送する第１のローラと、前記第１のローラに対向して配置されるとともに前記搬送路に搬送される帳票の下面に接し、複数枚の前記帳票が前記搬送路に搬送されるのを防止する第２のローラと、を具備し、前記第１のローラまたは前記第２のローラの少なくとも一方のローラの外周面に少なくとも１つの溝を有することを特徴とする。
【発明の効果】
【０００７】
本発明によれば、帳票を積載した帳票積載部から装置内に取り込んだ帳票を１枚ずつ確実に搬送することができる。
【図面の簡単な説明】
【０００８】
【図１】本発明の一つの実施の形態の光学的帳票読取装置の外観図である。
【図２】図１の光学的帳票読取装置の内部構成を概略的に示す側面図である。
【図３】図１の光学的帳票読取装置の制御系を機能的に示すブロック図である。
【図４】図１の光学的帳票読取装置の給紙部の詳細構成を示す図である。
【図５】帳票の取り込みを開始したときの給紙部の状態を示す図、（ａ）は側面図、（ｂ）は正面図である。
【図６】実施形態の変形例１を示す図である。
【図７】実施形態の変形例２を示す図である。
【発明を実施するための形態】
【０００９】
以下、本発明の実施の形態について図面を参照しながら説明する。図１は本発明の一つの実施の形態の光学的帳票読取装置の外観図、図２はこの光学的帳票読取装置の内部構成を概略的に示す側面図、図３はこの光学的帳票読取装置の制御系を機能的に示すブロック図、図４は給紙部の詳細構成を示す図、図５は帳票の取り込みを開始したときの給紙部の状態を示す図である。
【００１０】
本実施形態に係る光学的帳票読取装置１０は、図１、図２に示すように、帳票積載部としてのホッパテーブル１１、ノーマルスタッカ１２とリジェクトスタッカ１３、操作パネル部１４、搬送路１５、給紙部１６、光学読取部１７、印字部１８、フラッパ２４、この装置１０内の各部を制御する制御部２０、この装置１０内の各部に電力を供給する電源部２１、各部の駆動部４０などを備える。
【００１１】
制御部２０は、図３に示すように、ＣＰＵ４１、メモリ４２およびインターフェース４３を有している。
インターフェース４３には、この装置１０内の各部からの内部バスが接続されている。各部とは、光学読取部１７、印字部１８、表示部としてのディスプレイ３０、操作部３１、モータ、ベルト、ギヤを含む駆動部４０、搬送路の各ポイントに設けられた帳票センサ等のセンサ類等である。
【００１２】
ホッパテーブル１１は、図１、図２に示すように、光学的帳票読取装置１０筺体の前面下方に突出して設けられ、画像読み取りを行う帳票Ａを、積載してセットする帳票積載部である。このホッパテーブル１１は、セットされた複数の帳票Ａを１枚ずつ、帳票取込口に引き出す自動給紙機構を有する。この自動給紙機構には、ホッパテーブル１１が例えば大量の帳票Ａを自動給紙するエレベータ機構のものや、収納される帳票の重さに応じて、ホッパテーブル１１をスプリングで押し上げたり、引っ張り上げたりする機構のものがある。なお、帳票については、重送を考慮しない説明では単に帳票Ａと表し、帳票分離時に重送を考慮する場合は、上から順に帳票Ａ１，帳票Ａ２等と表すものとする。
【００１３】
ノーマルスタッカ１２及びリジェクトスタッカ１３は、光学的帳票読取装置１０筺体の前面上方に設けられ、光学読取部１７で画像が読み取られて帳票排出口から排出された帳票Ａを格納するものである。ノーマルスタッカ１２は、光学的帳票読取装置１０で文字（イメージ）読み取りが正常に行われたと認識された帳票Ａを収納する。リジェクトスタッカ１３は、光学的帳票読取装置１０で画像読み取りがエラー有りと判断された帳票Ａを格納する。
【００１４】
操作パネル部１４は、光学的帳票読取装置１０筺体の前面上方でスタッカ１２，１３の近隣に設けられ、ユーザが光学読取部１７を操作するための各種設定を行うものである。この操作パネル部１４は、操作手順等の各種メニューと処理状況及びエラー内容等が表示されるディスプレイ３０と、帳票の処理開始や停止を指示したり、またエラーを解除したりするための操作釦類が設けられている操作部３１とを有する。
【００１５】
搬送路１５には、複数の搬送ローラ部３２がそれぞれのポイントに配置され、ホッパテーブル１１から給紙され画像認識の終了した帳票Ａを認識結果に基づき、ノーマルスタッカ１２又はリジェクトスタッカ１３に搬送する。搬送ローラ部３２は、図４に示すように、下部搬送ローラとしてのドライブローラ３３と、このドライブローラ３３と対向するとともに、このドライブローラ３３側に付勢される上部搬送ローラとしてのテンションローラ３４とを備える。この構成により、ドライブローラ３３とテンションローラ３４とが帳票Ａを狭持して搬送路１５の下流（スタッカ）方向に搬送することができる。
【００１６】
給紙部１６は、帳票Ａを取り込んで搬送する給紙装置として機能する。この給紙部１６は、図４に示すように、ホッパテーブル１１から帳票Ａを取り込むピックアップローラ３５と、取り込まれた帳票Ａを１枚ずつ分離して搬送するフィードローラ（第１のローラ）３６およびタイミングベルト３７、リバースローラ（第２のローラ）３８、タイミングベルト３９および駆動部４０とを備える。
【００１７】
ピックアップローラ３５は、ホッパテーブル１１の上部に配置されている。ピックアップローラ３５のローラ下面は、所定の基準搬送位置とほぼ一致するように配置されている。ピックアップローラ３５は、上昇したホッパテーブル１１に積載された多数の帳票Ａの最上部に当接する。ピックアップローラ３５は、駆動部４０によって、図４に向かって時計回りの矢印方向に回動されることで、最上部の帳票Ａをローラ表面の摩擦力で帳票取込口から光学的帳票読取装置１０内部へ取り込む。
【００１８】
フィードローラ３６の駆動軸は、ピックアップローラ３５のシャフトとタイミングベルト３７で接続されており、軸自体は同方向に回動するが、フィードローラ３６に例えばワンウェイクラッチが内蔵されているため、ローラ自体の動きは異なる。
【００１９】
リバースローラ３８は、駆動軸、タイミングベルト３９を介して駆動部４０に接続されている。また、リバースローラ３８は、フィードローラ３６と対向するとともに、バネ４４によってフィードローラ３６側に付勢されている。このリバースローラ３８は、駆動部４０によって、図４に向かって時計回りの矢印方向に回動されることで、１枚目の帳票Ａ１に重なって搬送された２枚目の帳票Ａ２をローラ表面の摩擦力で、１枚目の帳票Ａ１から分離して帳票取込口に戻す分離機能を有する。
【００２０】
すなわち、このリバースローラ３８は、図４、図５に示すように、ローラの外周面の周方向に沿って形成された溝３８ａを備える。溝３８ａは、フィードローラ３６の外周面と対向する位置で、かつローラの軸方向の中央付近に外周面を２分するように所定幅で配置されている。
【００２１】
リバースローラ３８は、ホッパテーブル１１から帳票Ａを取り込む際に、上下に重なった帳票Ａ１，Ａ２のうち、ローラの外周面に当接した下側の帳票Ａ２を波打つように撓ませて、帳票Ａ１との間に空気層Ｂを形成させる。この空気層Ｂによって帳票Ａ１，Ａ２同士の摩擦係数は下がり、帳票Ａ１とＡ２を分離し易くなる。さらに、溝３８ａの形成により、ローラの食い込み（ニップ）が増えて、リバースローラ３８のエッジ部と帳票Ａ２とが当接して、リバースローラ３８と帳票Ａ２との摩擦力が強くなり、帳票Ａ２を食い止めて１枚目の帳票Ａ１のみを搬送下流側に搬送することができる。
【００２２】
また、リバースローラ３８は、たとえばバネなどのトルクリミッタが内蔵されている。リバースローラ３８は、１枚の帳票Ａ１のみが搬送される際には、このトルクリミッタの機能によって正回転して、帳票Ａ１を搬送路下流方向に搬送する。また、リバースローラ３８は、帳票Ａ１，Ａ２が重送される際には、駆動部４０の機能によって逆回転して、帳票Ａ２を食い止める。
なお、この溝３８ａは、フィードローラ３６の外周面に設けてもよい。また、この溝３８ａは、配置位置も中央付近に限らず、ローラの他の外周面と対向する位置であればいずれの位置でもよく、溝の幅および深さも空気層を形成できれば任意の幅および深さでよい。さらに、この溝３８ａは１つに限らず、複数形成することも可能である。
【００２３】
フィードローラ３６およびリバースローラ３８は、ローラの食い込みにより帳票Ａとの摩擦力が強くなるので、通常のスポンジゴムに代えて、ソリッドゴムを素材に用いることができる。これにより、ローラの摩耗が低減され、メンテナンスコストを減らすことができる。
【００２４】
メモリ４２には、この装置の制御プログラムが記憶されており、電源投入と共にＣＰＵ４１により読み込まれて、ＣＰＵ４１が制御動作を実行するようになる。この他、メモリ４２は、光学読取部１７で読み取った画像がＣＰＵ４１により処理される際にデータの処理領域として利用される。
【００２５】
ＣＰＵ４１は、駆動部４０を制御して、ピックアップローラ３５、フィードローラ３６、リバースローラ３８、搬送ローラ部３２などを駆動する。例えばＣＰＵ４１は、操作部３１から帳票Ａの読み取り開始操作が行われ、その指示を受け付けると、ホッパ昇降用のモータ（駆動部４０）を制御してホッパテーブル１１を上昇させる。またこれと共にＣＰＵ４１は、ピックアップローラ３５を矢印方向へ回転させる。
【００２６】
光学読取部１７は、給紙部１６の下流の搬送路１５上に設けられている。光学読取部１７は、搬送路１５上の帳票Ａから画像を読み取る画像読取ユニットであり、例えば密着型のＣＣＤラインセンサ（密着センサ）などである。
【００２７】
印字部１８は、印字ヘッドを有し、搬送路１５の下流の帳票排出口に近い位置に設けられている。印字部１８は、光学読取部１７により情報が正常に読み取られた帳票Ａに対して、例えば整理番号や処理済みを示すマーク等を印字する。
【００２８】
フラッパ２４は、印字部１８よりも搬送方向下流（帳票排出口手前）に設けられている。フラッパ２４は、ＣＰＵ４１により制御されて帳票Ａをノーマルスタッカ１２またはリジェクトスタッカ１３の方向に振り分ける。
【００２９】
次に、図４、図５を参照してこの光学的帳票読取装置１０の動作を説明する。
この光学的帳票読取装置１０では、操作部３１より処理開始の指示コマンドの入力があった場合、制御部２０は、ピックアップローラ３５を矢印方向へ回転させ、駆動部４０を制御してホッパテーブル１１を上昇させる。
【００３０】
そして、ホッパテーブル１１上に積載された帳票Ａのうちの最上部の帳票Ａ１が、ピックアップするのに最適な高さになった基準搬送位置でピックアップローラ３５に当接する。帳票Ａがこの位置に配置された光センサにより「暗」検知されると、制御部２０はホッパテーブル１１の上昇を停止させる。ここで、回転しているピックアップローラ３５により最上部の帳票Ａが搬送路１５内へ引き入れられる。
【００３１】
ホッパテーブル１１を停止後、制御部２０は、フィードローラ３６を正転（矢印方向）すると共に、リバースローラ３８を逆転（矢印方向）するよう駆動部４０を制御する。各ローラの回転で、ピックアップローラ３５により繰り出された帳票Ａが搬送路内に取り込まれる。
なお、帳票Ａの取り込み動作は、停止を指示するコマンドが入力されるか、または帳票Ａがホッパテーブル１１からなくなるまで繰り返される。
【００３２】
ここで、装置１０内に引き入れられた帳票Ａが重送（最上部の帳票Ａ１とその下の帳票Ａ２が重なった状態）であったものとする。この場合、フィードローラ３６とリバースローラ３８とに搬送された上側の帳票Ａ１と下側の帳票Ａ２間には空気層Ｂが発生する。
【００３３】
つまり、リバースローラ３８の外周面に溝３８ａが配置されているので、この外周面と対向するフィードローラ３６の外周面とに段差が生じ、この段差によって帳票Ａ２が波打つように撓み、帳票Ａ１，Ａ２同士の間に空気層Ｂが形成される。この空気層Ｂが形成されることで、帳票Ａ１，Ａ２同士の摩擦係数が下がり、帳票Ａ１，Ａ２を分離し易くなる。さらに、溝３８ａの形成により、ローラの食い込みが増えて、リバースローラ３８のエッジ部と帳票Ａ２とが当接して、リバースローラ３８と帳票Ａ２との摩擦力が強くなり、帳票Ａ２を食い止めて上側の帳票Ａ１のみを搬送路１５の下流側方向に搬送することができる。なお、帳票Ａ１は、フィードローラ３６の外周面との摩擦で撓むことなく搬送される。
【００３４】
光学読取部１７で帳票Ａ１の画像を読み取っているときは、画像が伸縮しないように複数のドライブローラ３３の回転速度をパルスモータで同一にする。この間、分離した残りの帳票Ａ２がホッパテーブル１１から光学読取部１７側へ搬送されないように制御部２０がフィードローラ３６の回転を制御する。
【００３５】
光学読取部１７により読み取られた画像の電気信号が制御部２０へ出力される。ＣＰＵ４１は、入力された電気信号から帳票の表面の画像を生成し、その画像についての後処理を行う。後処理としては、文字認識処理などである。このようにして光学読取部１７および制御部２０にて、表面の読み取り処理が行われた帳票Ａは、搬送路１５上を印字部１８の側へ搬送される。
【００３６】
ＣＰＵ４１は、文字認識処理が正常に終了した場合、印字部１８の位置に達した帳票Ａに対して印字ヘッドにより印字処理を行う。
例えばＣＰＵ４１は、印字ヘッドを制御して、搬送されてきた帳票Ａが読み取り処理済みのものであることを示す整理番号を印字部で印字する。そして、ＣＰＵ４１は、フラッパ２４を駆動して搬送方向をノーマルスタッカ１２の側へ切り替えて、印字済みの帳票Ａを振り分け、ノーマルスタッカ１２へ集積する。
【００３７】
一方、上記画像読み取り後、文字認識処理が正常に終了しなかった場合、ＣＰＵ４１は、印字することなく、フラッパ２４を駆動して搬送方向をリジェクトスタッカ１３の側へ切り替えて、その帳票Ａをリジェクトスタッカ１３へ集積する。
このような動作を繰り返し、ホッパテーブル１１に帳票Ａがなくなるか、または停止を指示するコマンド（停止命令）が入力されると、ＣＰＵ４１は、帳票Ａの読み取り動作を停止する。
【００３８】
このように、この実施形態の光学的帳票読取装置１０によれば、リバースローラ３８の外周面の周方向に沿って溝３８ａを形成したので、重送された帳票Ａ１，Ａ２間に空気層Ｂが形成されて帳票同士の摩擦係数を下げることができる。この結果、重送された帳票Ａ１，Ａ２を分離でき、帳票を積載した帳票積載部から装置内に取り込んだ帳票を１枚ずつ確実に搬送することができる。
【００３９】
以上、光学的帳票読取装置を例にして、本発明を具体的に説明したが、本発明はこれらの実施形態にのみ限定されるものではなく、帳票を重送することなく搬送することが必要な給紙装置を有するものであれば適用可能である。また、その要旨を逸脱しない範囲で種々変更可能である。
【００４０】
以下、図６，図７を参照して上記実施形態の変形例１，２について説明する。なお上記実施形態と同じ構成には同一の符号を付しその説明は省略する。
【００４１】
（変形例１）
図６は、実施形態の変形例１を示す図である。
この変形例１では、フィードローラ３６のローラ幅ｄ１と、リバースローラ３８のローラ幅ｄ２を異なるように構成する。この変形例１では、ｄ２＜ｄ１に構成したが、逆でも可能である。ただし、いずれの場合も、リバースローラ３８の溝３８ａとその両脇のローラ面がフィードローラ３６の外周面と対向する位置に配置されることが必要となる。
【００４２】
このように、この変形例では、フィードローラ３６とリバースローラ３８のローラ幅を異なるように構成したので、リバースローラ３８のエッジでの食い込みが増えてリバースローラ３８と帳票Ａ２との摩擦力が強くなり、帳票Ａ２を食い止めて１枚目の帳票Ａ１のみを搬送下流側に搬送することができる。この結果、重送された帳票Ａ１，Ａ２をさらに容易に分離でき、帳票を積載した帳票積載部から装置内に取り込んだ帳票を１枚ずつ確実に搬送することができる。
【００４３】
（変形例２）
図７は、実施形態の変形例２を示す図である。
この変形例２では、リバースローラ３８の溝３８ａとともに、フィードローラ３６にも溝３６ａを形成する。この溝３６ａは、フィードローラ３６の外周面の周方向に沿って配置され、かつリバースローラ３８の溝３８ａと対向している。
【００４４】
フィードローラ３６は、ホッパテーブル１１から帳票Ａを取り込む際に、上下に重なった帳票Ａ１，Ａ２のうち、ローラの外周面に当接した上側の帳票Ａ１を波打つように撓ませて、搬送下流側に搬送する。
【００４５】
このように、この変形例では、フィードローラ３６とリバースローラ３８の両方に溝３６ａ，３８ａを対向して配置するので、帳票Ａ１，Ａ２の波の山と谷が一致し、空気層Ｂを広くすることができ、帳票Ａ１，Ａ２同士の摩擦係数をさらに下げることができる。この結果、帳票Ａ１，Ａ２をさらに分離し易くなり、上側の帳票Ａ１のみを搬送路１５の下流側方向に搬送することができる。
【００４６】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。例えば実施形態に示される全構成要素から幾つかの構成要素を削除してもよい。さらに、異なる実施形態にわたる構成要素を適宜組み合わせてもよい。
【符号の説明】
【００４７】
１０…光学的帳票読取装置、１１…ホッパテーブル、１２…ノーマルスタッカ、１３…リジェクトスタッカ、１４…操作パネル部、１５…搬送路、１６…給紙部、１７…光学読取部、１８…印字部、２０…制御部、２１…電源部、２４…フラッパ、３０…ディスプレイ、３１…操作部、３２…搬送ローラ部、３３…ドライブローラ、３４…テンションローラ、３５…ピックアップローラ、３６…フィードローラ、３６ａ，３８ａ…溝、３８…リバースローラ、４０…駆動部、Ａ，Ａ１，Ａ２…帳票、Ｂ…空気層、ｄ１，ｄ２…ローラ幅。
【図１】
2011057431.tif 000003
【図２】
2011057431.tif 000004
【図３】
2011057431.tif 000005
【図４】
2011057431.tif 000006
【図５】
2011057431.tif 000007
【図６】
2011057431.tif 000008
【図７】
2011057431.tif 000009